(57)【特許請求の範囲】
【請求項１】
次の（１）〜（１０）の工程を備えた排水溝の施工方法。
（１）アスファルト防水層の上に、排水溝の側壁となる左右の側板をそれぞれ外側から支持するサポートブロックを、所定の間隔で固定して設置する工程。
（２）排水溝の底壁となる底板を、アスファルト防水層の上に、所定の水勾配で設置する工程。
（３）排水溝の側壁となる前記左右の側板を、前記サポートブロックにそわせて、所定のレベルで設置する工程。
（４）排水溝の蓋を仮止めした蓋枠を、前記左右の側板の上に載置して固定する工程。
（５）前記アスファルト防水層と底板およびサポートブロックと側板を、それぞれ接着剤で接着して固定する工程。
（６）前記側板に穴を明け、これに排水パイプを連結する工程。
（７）アンカー材を前記蓋枠に固定する工程。
（８）前記蓋と蓋枠の上面を養生フィルムで被覆する工程。
（９）前記側壁の外側に嵩上げコンクリートを打設する工程。
（１０）前記養生フィルムを除去し、蓋の蓋枠への仮止めを解除する工程。
【発明の詳細な説明】
【０００１】
【産業上の利用分野】
この発明は、アスファルト防水層の上に設ける排水溝の施工方法に関するものである。
【０００２】
【従来の技術】
アスファルト防水層の上に設ける排水溝の施工は、従来は、例えば、次のように行われている。その施工手順を図４と図５によって説明する。〔〕内は、各工程に必要とする職種である。
【０００３】
（１）図４に示すように、断面Ｕ字形に組み立てた合板の型枠Ｆを、アスファルト防水層２１の上に、モルタル２２で固定する。なお、２３はコンクリートスラブである。〔大工，左官〕
（２）型枠Ｆに穴を明け、これに図外の排水パイプを連結する。〔配管工〕
（３）嵩上げコンクリート２４を打設する。〔コンクリート打設工〕
（４）嵩上げコンクリート２４の硬化後型枠Ｆを解体する。〔大工〕
（５）排水溝の蓋２６の枠２７を、前記嵩上げコンクリート２４に埋設したアンカー筋２８に、アーム筋２９を介して溶接する。〔金物工〕
（６）嵩上げコンクリート２４の上に、押さえモルタル２５を塗る。〔左官〕
（７）図５に示すように、型枠Ｆ解体後の溝の底部に水勾配モルタル３０を塗る。〔左官〕
（８）蓋２６の枠２７に合わせて、溝の内側面に、図５に示すように、仕上げモルタル３１を塗る。〔左官〕
（９）排水溝廻りの掃除をする。〔雑役夫〕
（１０）蓋２６を設置する。〔金物工〕
【０００４】
【発明が解決しようとする課題】
しかし、上記施工方法においては、投入される職種が５種類となり、投入も殆ど交互になされている。
【０００５】
すなわち、上記施工方法において必要とする職種とその投入順序は、大工→左官→コンクリート打設工→左官→大工→金物工→左官→左官→雑役夫→金物工となっていて、職種が多く、その出入りも頻繁になっている。
【０００６】
このため、従来の施工方法にあっては、各工程ごとに必要とする職人を手際よく手配し、タイミングよく投入することがむずかしく、したがって、施工管理と日程管理がむずかしかった。その結果、施工能率が低下し、施工コストが高くつくという問題があった。
【０００７】
この発明は、このような従来の問題点を解決するためになされたもので、施工能率を上げて工期を短縮し、施工コストを低減することができる、排水溝の施工方法を提供することを目的とする。
【０００８】
【課題を解決するための手段】
この発明が提供する排水溝の施工方法は、次の（１）〜（１０）の工程を備えたものである。
【０００９】
（１）アスファルト防水層の上に、排水溝の側壁となる左右の側板をそれぞれ外側から支持するサポートブロックを、所定の間隔で固定して設置する工程。
【００１０】
（２）排水溝の底壁となる底板を、アスファルト防水層の上に、所定の水勾配で設置する工程。
【００１１】
（３）排水溝の側壁となる前記左右の側板を、前記サポートブロックにそわせて、所定のレベルで設置する工程。
【００１２】
（４）排水溝の蓋を仮止めした蓋枠を、前記左右の側板の上に載置して固定する工程。
【００１３】
（５）前記アスファルト防水層と底板およびサポートブロックと側板を、それぞれ接着剤で接着して固定する工程。
【００１４】
（６）前記側板に穴を明け、これに排水パイプを連結する工程。
【００１５】
（７）アンカー材を前記蓋枠に固定する工程。
【００１６】
（８）前記蓋と蓋枠の上面を養生フィルムで被覆する工程。
【００１７】
（９）前記側壁の外側に嵩上げコンクリートを打設する工程。
【００１８】
（１０）前記養生フィルムを除去し、蓋の蓋枠への仮止めを解除する工程。
【００１９】
【作用】
この発明の施工方法によれば、上記（１）〜（１０）の工程のうち、（１）〜（８）の工程を組立職人、すなわち一職種多機能工で連続して実施することができ、（９）の工程はコンクリート打設工が実施し、（１０）の工程は雑役夫が実施すればよいから、施工に要する職種が三種類だけで済む。
【００２０】
このため、各工程ごとに必要とする職人の手配とその投入のタイミングの管理がし易くなり、施工管理と日程管理が容易になる。したがって、施工能率を上げて工期を短縮し、施工コストを低減することができる。
【００２１】
【実施例】
以下、この発明の実施例を、図１〜図３によって、工程順に説明する。
【００２２】
この実施例は、厨房のアスファルト防水層の上に排水溝を施工する場合の例である。図１はその排水溝の断面図、図２，図３は図１の排水溝の施工に使用する部材の斜視図である。
【００２３】
（１）コンクリートスラブ１に設けたアスファルト防水層２の上に、溝幅２５２ｍｍの墨出しを行い、その墨出しに合わせて図３に示すサポートブロック３を、ブチルゴム系両面テープ４を使用して５００ｍｍ間隔で固定する。
【００２４】
ここにいうサポートブロック３は、方形の基板３ａの長さ方向両端部に後述する側板７の支持部材となる一対の受け板３ｂを一体に立ち上げた形状のもので、発泡ポリスチレンでできている。側板７の支持面３ｃ（図３）は基板３ａに対し垂直面となっていて、後述する充填・接着剤（発泡ポリウレタン系）１２を充填するコッター部３ｄが設けてある。長さＬは２８０ｍｍ、高さＨは２２０ｍｍ、幅Ｗは２００ｍｍ、受け板３ｂの厚さは３０ｍｍである。
【００２５】
（２）排水溝の底壁となる厚さ１４ｍｍの底板５を、アスファルト防水層２の上に、スぺーサー６ａで水勾配を決めて、設置する。
【００２６】
（３）排水溝の側壁となる左右一対の側板７，７を、前記サポートブロック３にそわせて、スぺーサー６ｂを使って、所定のレベルで設置する。その際、側板７，７は、サポートブロック３との間にリブ８を介在させて、同ブロック３の支持面で支持する。
【００２７】
ここにいう側板７は、長さＬ１  が２０００ｍｍ、高さＨ１  が２８０ｍｍ、厚さが７ｍｍの所定発泡倍率の発泡ポリスチレン製の板であり、リブ８は長さＬ２  が５０ｍｍ、高さＨ１  が２８０ｍｍ、厚さが７ｍｍの発泡ポリスチレン製の板で、側板７の一部で補強板として機能する。
【００２８】
側板７は突き合わせて設置され、リブ８はその突き合わせ部分に配設される。
【００２９】
（４）排水溝の蓋９をボルトで仮止めした蓋枠１０を、図１のように、左右の側板７，７の上に載置し、リブ８にねじ止めしたサポートピース１１で挟みつけて固定する。
【００３０】
（５）底板５をアスファルト防水層２に、リブ８をサポートブロック３に、蓋枠１０を側板７に、それぞれ発泡ポリウレタン系の充填・接着剤１２で固定する。リブ８をサポートブロック３に固定する際には、充填・接着剤１２をコッター部３ｄに充填する。
【００３１】
（６）側板７に穴（図示せず）を明け、これに図外の排水パイプを連結する。
【００３２】
（７）アンカー材１３を蓋枠１０に５００ｍｍ間隔で固定する。
【００３３】
（８）蓋９と蓋枠１０の表面に養生フィルム（図示せず）を被せる。
【００３４】
（９）嵩上げコンクリート１４を打設する。
【００３５】
（１０）養生フィルムを除去し、蓋９を仮止めしたボルトを取り外す。
【００３６】
以上は、排水溝の直線部を施工する場合の手順であるが、交差部はサポートブロック３の間隔を変え、あるいは側板７を適宜の長さに切断することなどによって、上述と同じ要領で、現場で組み立てることができる。
【００３７】
次に、上記構成に基づく作用を説明する。
【００３８】
上記（１）〜（１０）の工程のうち、（１）〜（８）の工程は、組立職人、いわゆる一職種多機能工が、他の職人を介在させないで、連続して実施することができる。
【００３９】
すなわち、（１）〜（８）の工程は、あらかじめサポートブロック３，底板５，側板７，リブ８，蓋９，蓋枠１０，サポートピース１１，充填・接着剤１２，アンカー材１３等の部材を準備しておき、これらの部材を現場に持ち込んで組み立てる作業であるから、組立職人である多機能工がいれば、連続して実施できる。
【００４０】
あとの（９）の工程と（１０）の工程は、コンクリート打設工と雑役夫がそれぞれ実施すればよい。
【００４１】
それ故、実施例の排水溝の施工は、上記三つの職種の人がいれば可能になる。
【００４２】
このため、各工程ごとに必要とする職人の手配とその投入タイミングの管理が容易になり、施工管理と日程管理がし易くなる。
【００４３】
したがって、実施例の施工方法によれば、施工能率を上げて工期を短縮し、施工コストを低減することができる。
【００４４】
【発明の効果】
以上説明したように、この発明によれば、上述のような構成としたので、施工能率を上げて工期を短縮し、施工コストを低減することができる。
【図面の簡単な説明】
【図１】実施例の排水溝の施工方法によって得られる排水溝の断面図
【図２】図１における側板とリブの斜視図
【図３】図１におけるサポートブロックの斜視図
【図４】従来の排水溝の施工方法によって得られる排水溝の施工過程を示す断面図
【図５】従来の排水溝の施工方法によって得られる排水溝の断面図
【符号の説明】
２  アスファルト防水層
３  サポートブロック
５  底板
７  側板
８  リブ
９  蓋
１０  蓋枠
１１  サポートピース
１２  充填・接着剤
１３  アンカー材
１４  嵩上げコンクリート
【図１】
0003615823.tif 000002
【図２】
0003615823.tif 000003
【図３】
0003615823.tif 000004
【図４】
0003615823.tif 000005
【図５】
0003615823.tif 000006